(57)【要約】      （修正有）【課題】抜栓時に、プルリングを扱いやすくして容易に薄肉弱化部の破断を開始することができるとともに、内容液が飛び散ることを防止したプルリングを備えたキャップを提供する。【解決手段】薄肉弱化部１１により切り取り可能に画成された除去部１２の上面に設けられたプルリング５は、手指で把持するリング部１７と、除去部に立設された支柱部１５とからなり、支柱部１５と注出筒３との間の隔壁には、注出筒の内周面から水平方向に支柱部の側部まで延びる上壁部１６が形成され、薄肉弱化部１１が上壁部を通るライン上に、上蓋Ｂの頂壁の裏面に垂設された封鎖部材３３が嵌挿される貫通孔が設けられている。【選択図】図１
2013209116.tif 000002
【特許請求の範囲】
【請求項１】
キャップ本体とキャップ本体にヒンジを介して連設された上蓋とからなり、
キャップ本体は、容器の口部に取り付けられる装着部と、装着部に連設して上方に筒状に突出する注出筒と、注出筒の底部に連設して容器内部を密閉する隔壁と、隔壁に設けられた薄肉弱化部により切り取り可能に画成された除去部の上面に設けられたプルリングとを備え、
プルリングは、手指で把持するリング部と、除去部に立設された支柱部とからなり、支柱部と注出筒との間の隔壁には、注出筒の内周面から水平方向に支柱部の側部まで延びる上壁部が形成され、
薄肉弱化部が上壁部を通るライン上に、上蓋の頂壁の裏面に垂設された封鎖部材が嵌挿される貫通孔が設けられていることを特徴とするプルリングを備えたキャップ。
【請求項２】
プルリングの支柱部は、ヒンジ側に配置されていることを特徴とする請求項１記載のプルリングを備えたキャップ。
【請求項３】
上壁部は、プルリングの支柱部の上端部に近接して連設されていることを特徴とする請求項１または２記載のプルリングを備えたキャップ。
【請求項４】
封鎖部材は、下方に向けて縮径する外周面が形成されていることを特徴とする請求項１〜３のいずれかに記載のプルリングを備えたキャップ。
【発明の詳細な説明】
【技術分野】
【０００１】
本発明は、引き上げることによって薄肉弱化部を破断し注出口を開口するプルリングを備えたキャップに係るものであり、とくに抜栓時において、プルリングによる薄肉弱化部の破断を容易にするとともに内容液の飛び跳ねを防止したプルリングを備えたキャップに関するものである。
【背景技術】
【０００２】
液体を収容する容器に取り付けられたキャップ本体に、注出筒の底部の隔壁に開口部を画成する薄肉弱化部によって抜き取り可能な除去部を形成し、使用にあたって除去部に支柱を介して取り付けられたプルリングを引き上げて除去部を抜き去り、注出口を形成するプルリングを備えたキャップは従来よりよく知られている（例えば、特許文献１参照）。
【０００３】
また、内容液を加熱充填した容器に装着されたキャップでは、常温で容器内が減圧され内容液の液面が上昇しているので、プルリングを引っ張り上げて抜栓する際、抜栓による急激な圧力変化や除去部が引きちぎられる衝撃により液面が波立ち、開口部から液が飛び散ることがあり、このような液の飛び跳ねを防止するために、プルリングにより薄肉弱化部を破断する前に、予め容器内の圧力を下げ、液面を沈下させる割れ目（連通部）を形成する手段を備えたキャップが従来より知られている（例えば、特許文献２参照）。  
【先行技術文献】
【特許文献】
【０００４】
【特許文献１】特開２０１０−２７４９７６号公報
【特許文献２】特開２００３−２１２２５４号公報
【発明の概要】
【発明が解決しようとする課題】
【０００５】
しかしながら、上記特許文献１記載のキャップでは、抜栓時にプルリング１８を上方に引き上げ薄肉部１２の破断を開始する際に大きな力を必要とするため、プルリング１８の支柱１７が延びてしまって開けづらいということがあり、最悪の場合は、支柱１７が破断して抜栓が困難になるということがあった。
そのため、支柱の強度を高めようとしても、キャップの注出口を形成する除去壁９自体が小さいため困難であった。
【０００６】
また、上記特許文献１記載のキャップでは、プルリング１８を上方に引き上げて薄肉部１２を破断するので、容器を片方の手で下に押さえつけ、他方の手でプルリング１８を上方に引っ張らなければならないため、お年寄りや子供など力が弱い消費者には扱いにくいという問題があった。
【０００７】
また、上記特許文献２記載のキャップでは、プルリングのリング部７を引き上げる前に、棒状突起９を指で押し曲げ、棒状突起周縁の前弱縁部１０を破断することにより割れ目を形成し、容器内を外気に連通して常圧にしてからプルリングにより薄肉脆弱部５を破断して開口するので、プルリングによる開封時に液が飛び散ることはないが、容器を使用するにあたって面倒な準備作業を要し二つの動作を行わなければならないという問題があった。
【０００８】
本発明は、これらの問題を解決することを課題とし、薄肉弱化部を破断して注出口を開口する抜栓時に、プルリングを扱いやすくして容易に薄肉弱化部の破断を開始することができるとともに、内容液が飛び散ることを防止したプルリングを備えたキャップを提供することを目的とする。
【課題を解決するための手段】
【０００９】
本発明は、上記の課題を解決するため、プルリングを備えたキャップとして、キャップ本体とキャップ本体にヒンジを介して連設された上蓋とからなり、キャップ本体は、容器の口部に取り付けられる装着部と、装着部に連設して上方に筒状に突出する注出筒と、注出筒の底部に連設して容器内部を密閉する隔壁と、隔壁に設けられた薄肉弱化部により切り取り可能に画成された除去部の上面に設けられたプルリングとを備え、プルリングは、手指で把持するリング部と、除去部に立設された支柱部とからなり、支柱部と注出筒との間の隔壁には、注出筒の内周面から水平方向に支柱部の側部まで延びる上壁部が形成され、薄肉弱化部が上壁部を通るライン上に、上蓋の頂壁の裏面に垂設された封鎖部材が嵌挿される貫通孔が設けられていることを特徴とする構成を採用する。
【００１０】
プルリングを備えたキャップの実施形態として、プルリングの支柱部は、ヒンジ側に配置されていることを特徴とする構成、また、上壁部は、プルリングの支柱部の上端部に近接して連設されていることを特徴とする構成、さらに、封鎖部材は、下方に向けて縮径する外周面が形成されていることを特徴とする構成を採用する。
【発明の効果】
【００１１】
本発明のプルリングを備えたキャップは、プルリングの支柱部と注出筒との間の隔壁に、注出筒の内周面から水平方向に支柱部の側部まで延びる上壁部が形成され、薄肉弱化部が上壁部を通るライン上に、上蓋の頂壁の裏面に垂設された封鎖部材が嵌挿される貫通孔が設けられているので、プルリングのリング部が引き上げられると、薄肉弱化部は当該貫通孔を始点として容易に破断を開始し、小さな力で抜栓を開始することができる。
このように、破断開始のための引っ張り力が小さく、また、上壁部は支柱部の側部に連設して支柱部を補強する役目も果たしているので、リング部を引く力が支柱部を延ばしたり破断したりすることがなく、プルリングの取り扱いが容易である。
さらに、破断始点となる上壁部の薄肉弱化部は、隔壁の他の部位より上方にあるので、抜栓時初期に当該薄肉弱化部が最初に破断したとき、急激に空気が流入して液面が波立っても当該破断部から内容液が飛び散ることはなく、その後は内圧が低下して液面が沈下するので、その後の抜栓の過程でも液が飛び散りにくい。
【００１２】
プルリングの支柱部を、容器を傾けて内容液を注ぐ注ぎ側と反対側であるヒンジ側に配置する実施形態では、液注出時に支柱部が除去された後の縦方向の開口部から空気が流入し、気液置換用通路の役割を果たすので、内容液を円滑に注出することができ、また、上壁部をプルリングの支柱部の上端部に近接して連設した実施形態では、破断開始までのプルリングの変形がさらに小さくなり、引き上げる力の方向の変化も小さいため、一層容易かつ効率的に薄肉弱化部の破断を開始することができる。
【図面の簡単な説明】
【００１３】
【図１】本発明の実施例であるプルリングを備えたキャップの閉蓋状態を示す断面側面図である。
【図２】本発明の実施例であるプルリングを備えたキャップの開蓋状態におけるキャップ本体を示す図であり、（ａ）は上面から見た部分図、（ｂ）は断面側面図である。
【図３】本発明の実施例であるプルリングを備えたキャップの開蓋状態におけるキャップ本体を示す図であり、（ａ）は断面正面図、（ｂ）は下面から見た部分図である。
【図４】本発明の実施例であるプルリングを備えたキャップの除去部を取り外した状態におけるキャップ本体を示す図であり、（ａ）は断面正面図、（ｂ）は下面から見た部分図である。
【発明を実施するための形態】
【００１４】
次に、本発明のプルリングを備えたキャップについて、実施例を示した図面を参照して説明する。
【実施例】
【００１５】
図１において、Ａはキャップ本体、Ｂはキャップ本体ＡにヒンジＣを介して連設された上蓋である。
キャップ本体Ａは、容器の口部１に嵌合して取り付けられる装着部２と、装着部２に連設して上方に筒状に突出する注出筒３と、注出筒３の底部に連設して容器内部を密閉する隔壁４と、抜栓して注出口を開口するためのプルリング５とを備えている。
【００１６】
図１〜３に示すように、装着部２は、内周が容器口部１の外周に嵌合するとともに、外周上部の所定の位置にヒンジＣが連設される外筒部７と、外筒部７の上端内周に連設されるリング状の基壁部８と、基壁部８の上部に立設された蓋係合部９と、基壁部８の下面に垂設され、外周が容器口部１の内周に嵌合する内筒部１０とを具えている。
本実施例では、キャップ本体Ａの外筒部７と内筒部１０を容器口部１に嵌合して取り付けているが、本発明のプルリングを備えたキャップは、このような装着部に限られることはなく、本発明の趣旨に反しない範囲で、ねじによる装着など他のいかなる装着手段をも採用しうる。
また、本実施例では、外筒部７は単筒形であるが、従来技術として例示した前記特許文献１記載のキャップと同様に、容器口部１に嵌合する筒部の外側に、一部が破断可能な弱化片で連結された筒部を具えた二重筒形とし、消費者が内容物を使用した後、上蓋Ｂを引張り上げることによりキャップ本体Ａを容器口部１から取り外して分別廃棄することができるようにしてもよい。
【００１７】
基壁部８の内周縁に注出筒３が立設され、注出筒３の内周底部には容器内部を密閉する隔壁４が連設され、隔壁４には、破断可能な薄肉弱化部１１により注出口を開口する除去部１２が設けられており、除去部１２の上面のヒンジＣ側には、抜栓時に除去部１２を引上げて抜き去るプルリング５の支柱部１５が立設され、支柱１５の上端部１６には、環状のリング部１７が連設されている。
リング部１７の内面には、手指で把持しやすいように複数の滑り止め突起１８がヒンジＣと反対側に配設されている。
【００１８】
隔壁４は、支柱部１５と注出筒３との間で、注出筒３の内周下部から支柱部１５の側部まで、上面に上壁部２１を形成する台状をなして延びる台状部２０が設けられ、台状部２０は、下方に下部が開放された間隙２２を形成する断面コの字状をなしており、上壁部２１に設けられた薄肉弱化部１１のライン上に、間隙２２と連通する貫通孔２３が穿設されている。
本実施例では、上壁部２１は、リング部１７が連設する支柱部１５の上端部１６に近接して設けられているが、必ずしも上端部１６に近接していなくともよく、支柱部１５の側部に連設していればよい。
【００１９】
図３に示すように、薄肉弱化部１１は、台状部２０のヒンジＣと反対側の前壁部２４において、支柱部１５の側部の両側から上方に延び、上壁部２１で支柱部１５の輪郭に沿ってヒンジＣ側に突出するように延び、貫通孔２３において合流するようになっている。
本実施例では、台状部２０における薄肉弱化部１１を支柱部１５に沿って設けたが、必ずしもこのようにすることはなく、貫通孔２３で合流するようにしさえすれば、台状部２０の側壁部２５から上壁部２１に延びるようにするなど、種々の形態にすることが可能である。
【００２０】
上蓋Ｂは、頂壁３０と、頂壁３０の外周縁から垂設される外周壁３１と、頂壁３０の下面から垂設され、閉蓋時にキャップ本体Ａの注出筒３の内周と係合する密封筒３２と、密封筒３２より内周側でヒンジＣ側に、頂壁３０の下面より垂設された封鎖部材３３からなっている。
外周壁２１には、内周端部に、キャップ本体Ａの蓋係合部９と係合する係合凹部３４が設けられており、外周端の所定の位置にヒンジＣが連設されている。
【００２１】
封鎖部材３３は、閉蓋時にキャップ本体Ａの貫通孔２３に嵌挿されるように、その位置や長さが設定されており、外周面は下方に向けて縮径するように形成されて、貫通孔２３に嵌挿された閉蓋時には、貫通孔２３を完全に密封して内容液が漏れないようになっている。
本実施例では、封鎖部材３３は外周面が下方に縮径する筒状を呈しているが、必ずしも筒状である必要はなく、中実の円錐台状など、その他適宜の形状とすることができる。
【００２２】
次に、本実施例の使用態様と作用効果について説明する。
容器を使用するために、本実施例のキャップを抜栓するには、まず図１の閉蓋状態から上蓋ＢをヒンジＣ回りに回動して、キャップ本体Ａの蓋係合部９と上蓋Ｂの係合凹部３４との係合を解除し、図２、３に示す開蓋状態に移行させる。
このとき、上蓋Ｂに垂設された封鎖部材３３は、上蓋Ｂの回転とともに貫通孔２３から引き抜かれ、容器内に外気が貫通孔２３を通じて流入するので、高温充填された容器内の減圧状態が解消され、内容液の液面が沈下して、その後の抜栓時に液が飛び散るようなことはない。
【００２３】
プルリング５のリング部１７に手指をかけて斜め上方に引っ張ると、リング部１７に連設する支柱部１５の上端部１６付近を引っ張り、支柱部１５の側部に連設する上壁部２１をも引っ張って、貫通孔２３に面する薄肉弱化部１１が破断を開始する。
貫通孔２３が薄肉弱化部１１のライン上で開口していることによって、薄肉弱化部１１は、貫通孔２３の部位で予め破断したと同様の状態になっているから、従来技術のように破断を開始するための大きな剪断力が必要なく、容易に抜栓を開始することができる。
このとき、支柱部１５は、側部を上壁部２１に連設されているから、リング部１７を引く力によって軸方向に延ばされることは少なく、破断開始のための力も前記のように小さくてすむから、プルリング５の取り扱いが容易である。
【００２４】
貫通孔２３に面した薄肉弱化部１１が破断された後は、上壁部２１の薄肉弱化部１１が速やかに破断され、続いて前壁部２４の薄肉弱化部１１が縦方向に破断され、支柱部１５が台状部２０から分離していく。
このように、抜栓時初期においては、リング部１７を手前に引っ張って、支柱部１５を台状部２０の前壁部２４から引き剥がすように薄肉弱化部１１を縦方向に破断していくから、容器を持つ手は、容器を支えて倒れないようにすればよく、抜栓時初期から隔壁４の除去部１２を上方に引き上げて破断していく従来技術のように、容器を下方に押し付けている必要はないから取り扱いやすく、抜栓時初期の力が比較的小さくてすむ。
【００２５】
支柱部１５が完全に台状部２０から分離すると、今度はリング部１７を引っ張る方向は上方に変化するようになり、隔壁４の薄肉弱化部１１の破断が進んでいく。
このときには、既に薄肉弱化部１１の破断が進行し、破断が加速されて慣性力がついてきているので、プルリング５を引っ張る力の変化にも容易に対応することができ、薄肉弱化部１１の破断が容易に進行する。
【００２６】
薄肉弱化部１１の破断が完了し除去部１２が完全に切り取られると、図４に示されるように、隔壁４には、支柱部１５が取り除かれて間隙２２が露出した上方に延びる縦開口部Ｑを有する注出口Ｐが現出する。
除去部１２が隔壁４から引きちぎられるときも、内容液の液面は既に沈下して安定しているので、液が飛び散るようなことはない。
また、縦開口部ＱはヒンジＣ側にあるので、容器を傾けヒンジＣと反対側の注ぎ側から内容液を注出する際、縦開口部Ｑは流出する内容液に代わって空気が流入する気液置換用通路の役割を果たし、円滑に内容液を注出することができる。
【産業上の利用可能性】
【００２７】
本発明のプルリングを備えたキャップは、プルリングを扱いやすくして抜栓時初期の薄肉弱化部の破断を容易にし、引き上げる力が小さくても容易に抜栓することができるとともに、抜栓時に内容液が飛び散るようなことがないから、プルリングを引き上げることで注出口を開口するタイプのプルリング式ヒンジキャップに広く適用可能であり、とくに、高温充填等により常温で内部が減圧された容器のプルリング式ヒンジキャップに採用して好適である。
【符号の説明】
【００２８】
Ａ            キャップ本体
Ｂ            上蓋
Ｃ            ヒンジ
Ｐ            注出口
Ｑ            縦開口部
１            口部
２            装着部
３            注出筒
４            隔壁
５            プルリング
７            外筒部
８            基壁部
９            蓋係合部
１０            内筒部
１１            薄肉弱化部
１２            除去部
１５            支柱部
１６            上端部
１７            リング部
１８            滑り止め突起
２０            台状部
２１            上壁部
２２            間隙
２３            貫通孔
２４            前壁部
２５            側壁部
３０            頂壁
３１            外周壁
３２            密封筒
３３            封鎖部材
３４            係合凹部
【図１】
2013209116.tif 000003
【図２】
2013209116.tif 000004
【図３】
2013209116.tif 000005
【図４】
2013209116.tif 000006